(57)【要約】【課題】本発明は、筐体からモジュールに加わる衝撃を緩和できる電子機器を得ることにある。【解決手段】電子機器は、ディスク収容部（１３）を有する筐体（４）と、この筐体のディスク収容部に収容された磁気ディスク駆動装置（１４）と、上記ディスク収容部と上記磁気ディスク駆動装置との間に介在されたホルダ（３３）とを備えている。ホルダは、ディスク収容部の内面に接する弾性変形が可能なばね片（４８ａ〜４８ｄ）を有し、これらばね片が変形することで筐体から磁気ディスク駆動装置に加わる衝撃を吸収する。【選択図】    図２
2004152116.tif 000002
【特許請求の範囲】
【請求項１】
収容部を有する筐体と、
上記筐体の収容部に収容されたモジュールと、
上記筐体の収容部と上記モジュールとの間に介在され、上記収容部の内面に接する弾性変形が可能な支持部を有するホルダと、を具備したことを特徴とする電子機器。
【請求項２】
請求項１の記載において、上記ホルダは上記モジュールが載置されるガイド板を有し、このガイド板に上記支持部が形成されていることを特徴とする電子機器。
【請求項３】
請求項２の記載において、上記ホルダは上記筐体に固定されていることを特徴とする電子機器。
【請求項４】
請求項２の記載において、上記モジュールは四つの角部を有する箱形の本体を含み、上記ホルダのガイド板は、上記本体に対応する大きさを有するとともに、上記支持部は上記本体の四つの角部に対応する箇所に形成されていることを特徴とする電子機器。
【請求項５】
請求項２ないし請求項４のいずれかの記載において、上記筐体の収容部は底壁を有し、上記ホルダのガイド板は、上記底壁と上記モジュールとの間に介在されているとともに、上記ホルダの支持部は上記ガイド板から下向きに延出されて、上記底壁の内面に弾性的に接していることを特徴とする電子機器。
【請求項６】
請求項２の記載において、上記筐体の収容部は、上記モジュールが取り出し可能に挿入されるスロットと、このスロットと向かい合うとともに、上記モジュールが接続されるコネクタとを有し、上記ホルダのガイド板は、上記スロットと上記コネクタとの間に位置することを特徴とする電子機器。
【請求項７】
請求項１又は請求項２の記載において、上記モジュールはディスク駆動装置であることを特徴とする電子機器。
【請求項８】
請求項７の記載において、上記ディスク駆動装置はモータが露出されたベースを有し、上記ホルダのガイド板は上記モータと向かい合う位置に、このモータを避ける開口部を有することを特徴とする電子機器。
【請求項９】
請求項１ないし請求項６のいずれかの記載において、上記ホルダは合成樹脂製であり、上記支持部は上記ホルダに一体成形されていることを特徴とする電子機器。
【請求項１０】
底壁を有する筐体と、
上記筐体の内部に収容されたモジュールと、
上記筐体の底壁と上記モジュールとの間に介在されたホルダと、を具備し、
上記ホルダは、上記モジュールが載置されるガイド板と、このガイド板から上記底壁に向けて張り出すとともに、この底壁に接する弾性変形が可能な複数の支持部と、を有することを特徴とする電子機器。
【請求項１１】
請求項１０の記載において、上記筐体は、上記モジュールを出し入れするスロットと、このスロットと向かい合うとともに、上記モジュールが取り出し可能に接続されるコネクタとを有し、上記ホルダのガイド板は、上記筐体に固定されて上記スロットと上記コネクタとの間に位置するとともに、上記コネクタに対する上記モジュールの差し込み方向をガイドすることを特徴とする電子機器。
【請求項１２】
請求項１０又は請求項１１の記載において、上記モジュールは四つの角部を有する箱形の本体を含み、上記ホルダのガイド板は上記本体に対応する大きさを有するとともに、上記ホルダの支持部は上記本体の四つの角部に対応する箇所に形成されていることを特徴とする電子機器。
【請求項１３】
請求項１０又は請求項１１の記載において、上記モジュールは、ディスク駆動装置であることを特徴とする電子機器。
【発明の詳細な説明】
【０００１】
【発明の属する技術分野】
本発明は、筐体の内部に例えば磁気ディスク駆動装置のようなコンピュータモジュールを収容した電子機器に係り、特にモジュールに加わる衝撃を吸収するための構造に関する。
【０００２】
【従来の技術】
ブック形のポータブルコンピュータのような電子機器は、多量のデータの読み書きを可能とする磁気ディスク駆動装置を搭載している。磁気ディスク駆動装置は、偏平な箱形の本体を有し、この本体の内部に磁気ディスク、磁気ヘッドを支持するキャリッジおよび磁気ディスクを回転させるスピンドルモータのような各種の構成要素が収容されている。
【０００３】
磁気ディスク駆動装置は、電子機器の筐体に収容されており、この磁気ディスク駆動装置の本体に板金製のブラケットが取り付けられている。ブラケットは、筐体にねじを介して固定されており、これにより磁気ディスク駆動装置が筐体の内部の予め決められた領域に保持されている（例えば特許文献１参照）。
【０００４】
【特許文献１】
特開平８−３０７０８３号公報（段落番号０１０７〜０１２６、図１１〜図１７）
【０００５】
【発明が解決しようとする課題】
ところで、最近の電子機器は、携帯性を高めるために筐体の薄形化が押し進められている。この筐体の薄形化により、筐体の肉厚が減じられるとともに、この筐体の内面と磁気ディスク駆動装置との間の隙間が非常に狭くなる。このため、例えば誤って電子機器を床の上に落下させたり、あるいは強い力で机に押し付けた時のように、電子機器に筐体の変形を伴うような大きな外力が作用すると、この外力を筐体で吸収することができなくなる。
【０００６】
この結果、磁気ディスク駆動装置に直接衝撃が加わるのを避けられず、これが原因で磁気ディスク駆動装置が誤作動したり、記録したデータが破損するといった問題が生じてくる。
【０００７】
本発明の目的は、筐体からモジュールに加わる衝撃を緩和できる電子機器を得ることにある。
【０００８】
【課題を解決するための手段】
上記目的を達成するため、本発明に係る電子機器は、
収容部を有する筐体と、
上記筐体の収容部に収容されたモジュールと、
上記筐体の収容部と上記モジュールとの間に介在されたホルダと、を備え、このホルダは、上記収容部の内面に接する弾性変形が可能な支持部を有することを特徴としている。
【０００９】
この構成によれば、電子機器に筐体の変形を伴うような大きな外力が加わると、ホルダの支持部が弾性的に変形し、筐体からモジュールに伝わろうとする衝撃を吸収する。これにより、モジュールに作用する衝撃が緩和され、モジュールの耐衝撃性能が高まる。
【００１０】
【発明の実施の形態】
以下本発明の実施の形態を、ポータブルコンピュータに適用した図面に基づいて説明する。
【００１１】
図１は、電子機器としてのポータブルコンピュータ１を開示している。ポータブルコンピュータ１は、コンピュータ本体２とディスプレイユニット３とで構成されている。
【００１２】
コンピュータ本体２は、偏平な箱形の筐体４を備えている。この筐体４は、例えばマグネシウム合金のような金属材料にて構成され、底壁４ａ、上壁４ｂ、前壁４ｃ、左右の側壁４ｄおよび後壁（図示せず）を有している。上壁４ｂは、キーボード取り付け部５およびパームレスト６を有している。
【００１３】
図２の（Ａ）に示すように、キーボード取り付け部５は、筐体４の上壁４ｂに開放するような凹みにて構成され、このキーボード取り付け部５にキーボード７が設置されている。キーボード７は、キーボードパネル８と、このキーボードパネル８の上に配置された多数のキートップ９とを有し、そのキーボードパネル８がキーボード取り付け部５に嵌め込まれている。
【００１４】
パームレスト６は、オペレータがキーボード７を操作する際に手を載せる部分である。このパームレスト６は、キーボード７の手前に位置するとともに、筐体４の幅方向に延びている。
【００１５】
ディスプレイユニット３は、ディスプレイハウジング１１と、このディスプレイハウジング１１に収容された液晶表示パネル１２とを有している。ディスプレイハウジング１１は、筐体４の後端部に図示しないヒンジを介して支持されている。このため、ディスプレイユニット３は、パームレスト６やキーボード７を上方から覆うように倒される閉じ位置と、パームレスト６、キーボード７および液晶表示パネル１２を露出させるように起立する開き位置とに亘って回動可能となっている。
【００１６】
図２および図４に示すように、筐体４の内部にディスク収容部１３が形成されている。ディスク収容部１３は、コンピュータモジュールとしての磁気ディスク装置１４を収容するためのものである。このディスク収容部１３は、キーボード７の右端部の下方に位置するとともに、筐体４の底壁４ａとキーボード取り付け部５との間に形成されている。
【００１７】
ディスク収容部１３は、磁気ディスク駆動装置１４を出し入れするスロット１５と、このスロット１５と向かい合うコネクタ１６とを有している。スロット１５は、筐体４の右側の側壁４ｄに開口されているとともに、取り外し可能なカバー１７によって覆われている。コネクタ１６は、プリント配線板１８に支持されてディスク駆動装置１４の終端に位置している。
【００１８】
図４ないし図６に示すように、磁気ディスク装置１４は、本体２０を備えている。本体２０は、四つの角部２０ａ〜２０ｄを有する偏平な長方形の箱形をなしている。この本体２０は、ベース２１と、ベース２１に固定されたトップカバー２２とで構成されている。トップカバー２２は、ベース２１との間に清浄な密閉空間を構成しており、この密閉空間に複数の磁気ディスク、磁気ヘッドを有するキャリッジおよび磁気ディスクを回転させるスピンドルモータ２３のような各種の構成要素が収容されている。スピンドルモータ２３の端部は、ベース２１の底に露出している。
【００１９】
図２の（Ａ）に示すように、本体２０は、コネクタ１６と向かい合う一端部２４ａと、スロット１５と向かい合う他端部２４ｂとを有している。本体２０の一端部２４ａに多数のピン端子２５が配置されており、これらピン端子２５はコネクタ１６に取り外し可能に接続されている。
【００２０】
本体２０の他端部２４ｂに金属製のブラケット２６が一対のねじ２７を介して固定されている。ブラケット２６は、本体２０の他端部２４ｂからスロット１５に向けて張り出す舌片２８を有している。舌片２８は、筐体４の上壁４ｂの内面から下向きに突出するボス部２９にねじ３０を介して固定されている。このボス部２９と舌片２８との固定部分は、カバー１７によって覆われている。
【００２１】
このことから、磁気ディスク駆動装置１４は、ピン端子２５をコネクタ１６に差し込むとともに、ブラケット２６の舌片２８をボス部２９に固定することで、筐体４のディスク収容部１３に水平に保持されている。
【００２２】
さらに、図５に示すように、本体２０の他端部２４ｂに柔軟なリボン３１が取り付けられている。リボン３１は、磁気ディスク駆動装置１４をディスク収容部１３から取り出す際に手の指先で把持するためのものである。このリボン３１は、カバー１７と磁気ディスク駆動装置１４の他端部２４ｂとの間に収められている。
【００２３】
カバー１７を筐体４から取り外すと、図２の（Ａ）に二点鎖線で示すように、リボン１３がスロット１５を通じて筐体４の側方に突出する。そのため、舌片２８とボス部２９との固定を解除した後、リボン１３を指先で掴んで引張れば、磁気ディスク駆動装置１４をディスク収容部１３から引き出すことができる。
【００２４】
図２および図４に示すように、ディスク収容部１３に合成樹脂製のホルダ３３が配置されている。ホルダ３３は、筐体４の底壁４ａと磁気ディスク駆動装置１４との間に介在されたガイド板３４を有している。ガイド板３４は、磁気ディスク駆動装置１４の本体２０に対応する大きさの長方形状をなしている。このガイド板３４は、スロット１５とコネクタ１６との間に位置するとともに、磁気ディスク駆動装置１４に沿うように水平に配置されている。ガイド板３４の上面は、本体２０のベース２１が摺動可能に接する平坦なガイド面３４ａとなっている。
【００２５】
このため、磁気ディスク駆動装置１４をスロット１５からディスク収容部１３に挿入すると、この磁気ディスク駆動装置１４の本体２０がガイド面３４ａに沿ってコネクタ１６に導かれるようになっている。
【００２６】
さらに、ガイド板３４は、開口部３５を有している。開口部３５は、磁気ディスク駆動装置１４のスピンドルモータ２３と向かい合う位置に形成されている。開口部３５の開口形状は、ベース２１の底に露出されたスピンドルモータ２３の端部よりも大きい。言い換えると、開口部３５は、スピンドルモータ２３の端部とガイド板３４との接触を避けるためのものであり、この開口部３５の内側にスピンドルモータ２３の端部が入り込んでいる。
【００２７】
ガイド板３４は、その長手方向に沿う一側縁に起立壁３７を有している。起立壁３７は、磁気ディスク駆動装置１４の挿入方向をガイドするためのものであり、筐体４の幅方向に沿って一直線状に延びている。さらに、ガイド板３４は、その一側縁と隣り合う一端縁を有し、この一端縁に端壁３８が形成されている。端壁３８は、磁気ディスク駆動装置１４の一端部２４ａと向かい合うように起立している。この端壁３８とガイド板３４とで規定される角部に、コネクタ１６を避ける切り欠き３９が形成されている。
【００２８】
ホルダ３３の起立壁３７に舌片４０が形成されている。舌片４０は、起立壁３７から水平に張り出しているとともに、筐体４の底壁４ａから突出するボス部４１にねじ４２を介して保持されている。このため、ホルダ３３は、筐体４の底壁４ａの上に固定されて、上記スロット１５やコネクタ１６との位置関係が一定に保たれている。これら底壁４ａとホルダ３３のガイド板３４との間には、僅かな隙間ｇが形成されている。
【００２９】
図２の（Ａ）および図４に示すように、ホルダ３３は、その端壁３８の上端にケーブルガイド壁４３を備えている。ケーブルガイド壁４３は、端壁３８の全長に亘って水平に延びているとともに、上記コネクタ１６の上方に位置している。
【００３０】
ケーブルガイド壁４３の上面に沿ってケーブル４４が配線されている。ケーブル４４は、例えば図示しない電動ファンとプリント配線板１８とを電気的に接続するためのものである。ケーブル４４は、ケーブルガイド壁４３に形成した複数の係止片４５に取り外し可能に引っ掛かっている。これにより、筐体４内でのケーブル４４の配線経路が規定されている。
【００３１】
図２に示すように、ガイド板３４は、支持部としての四つのばね片４８ａ〜４８ｄを有している。ばね片４８ａ〜４８ｄは、ホルダ３３を射出成形する時に、ガイド板３４に一体成形されており、このガイド板３４のうち磁気ディスク駆動装置１４の四つの角部２０ａ〜２０ｄに対応する箇所に配置されている。これらばね片４８ａ〜４８ｄは、夫々ガイド板３４から筐体４の底壁４ａに向けて斜め下向きに張り出しており、筐体４の厚み方向に弾性変形が可能となっている。そのため、ばね片４８ａ〜４８ｄは、上記隙間ｇに介在されており、その先端が底壁４ａの内面に突き当たっている。
【００３２】
したがって、磁気ディスク駆動装置１４は、ホルダ３３のばね片４８ａ〜４８ｄを介して筐体４の底壁４ａの上に載置されている。
【００３３】
このような構成のポータブルコンピュータ１において、例えば誤ってポータブルコンピュータ１を床の上に落下させたり、あるいは机の上に強い力で押し付けた場合、筐体４の底壁４ａのうち磁気ディスク駆動装置１４に対応する箇所に変形を伴うような大きな外力が加わることがあり得る。
【００３４】
この際、底壁４ａと磁気ディスク駆動装置１４との間に介在されたホルダ３３は、弾性変形が可能なばね片４８ａ〜４８ｄを有し、これらばね片４８ａ〜４８ｄの先端が底壁４ａの内面に接している。このため、ばね片４８ａ〜４８ｄは、夫々底壁４ａに加わる外力の大きさに応じて潰れるように変形し、底壁４ａから磁気ディスク駆動装置１４に伝わろうとする衝撃を吸収する。
【００３５】
この結果、磁気ディスク駆動装置１４に作用する衝撃が緩和され、この磁気ディスク駆動装置１４の耐衝撃性能が高まる。よって、磁気ディスク駆動装置１４の誤動作や故障を防止できるとともに、この磁気ディスク駆動装置１４に記録されたデータの破損を防止することができる。
【００３６】
上記実施の形態では、磁気ディスク駆動装置１４をキーボード７の下方に配置したが、本発明はこれに限定されるものではない。例えば筐体４の薄形化に伴いキーボード７の下方に磁気ディスク駆動装置１４を収容し得るだけのスペースが得られない場合は、この磁気ディスク駆動装置１４をパームレスト６の下方に配置しても良い。
【００３７】
この際、パームレスト６は、オペレータが手を載せて作業をする部分であること、およびディスプレイユニット３を閉じた時に、このディスプレイユニット３が突き当たる部分でもあるため、このパームレスト６に衝撃が加わるのを避けられない。このことから、パームレスト６の下方に磁気ディスク駆動装置１４を配置するに当っては、例えばホルダを中空の箱形に形成し、このホルダの内側に磁気ディスク駆動装置１４を収容する。そして、このホルダの上面に上向きに張り出す複数の弾性変形が可能なばね片を形成し、これらばね片の先端をパームレスト６の内面に接触させる。
【００３８】
この構成によれば、パームレスト６に大きな外力が作用した場合に、各ばね片がパームレスト６に加わる外力の大きさに応じて潰れるように変形し、パームレスト６から磁気ディスク駆動装置１４に伝わろうとする衝撃を吸収する。したがって、筐体４の底側からばかりでなく、筐体４の上側からの耐衝撃性能を高めることができる。
【００３９】
また、上記実施の形態では、合成樹脂製のホルダにばね片を一体成形したが、本発明はこれに制約されない。例えば合成樹脂製のホルダに金属製の複数のばね片を取り付けても良いとともに、金属製のホルダに複数のばね片を切り起こしにより一体に形成しても良い。
【００４０】
さらに、本発明において、筐体に収容されるモジュールは、磁気ディスク駆動装置に限らず、例えばＣＤ−ＲＯＭ駆動装置、光ディスク駆動装置あるいはモデム装置のようなその他のコンピュータモジュールであっても良い。
【００４１】
【発明の効果】
以上詳述した本発明によれば、モジュールに加わる衝撃を緩和することができ、このモジュールの耐衝撃性能が向上する。
【図面の簡単な説明】
【図１】本発明の実施の形態に係るポータブルコンピュータの斜視図。
【図２】（Ａ）は、筐体のディスク収容部に磁気ディスク駆動装置を収容した状態を示すポータブルコンピュータの断面図。
（Ｂ）は、ホルダのばね片と筐体の底壁との位置関係を示すポータブルコンピュータの断面図。
【図３】磁気ディスク駆動装置の舌片を筐体にねじを介して固定した状態を示すポータブルコンピュータの斜視図。
【図４】筐体の底壁の上にホルダを固定した状態を示すポータブルコンピュータの斜視図。
【図５】ホルダおよび磁気ディスク駆動装置を示す斜視図。
【図６】ホルダのばね片の形状およびホルダと磁気ディスク駆動装置との位置関係を示す斜視図。
【符号の説明】
４…筐体
４ａ…底壁
１３…収容部（ディスク収容部）
１４…モジュール（磁気ディスク駆動装置）
３３…ホルダ
３４…ガイド板
４８ａ〜４８ｄ…支持部（ばね片）
【図１】
2004152116.tif 000003
【図２】
2004152116.tif 000004
【図３】
2004152116.tif 000005
【図４】
2004152116.tif 000006
【図５】
2004152116.tif 000007
【図６】
2004152116.tif 000008